【手続補正書】
【提出日】平成28年8月8日(2016.8.8)
【手続補正１】
【補正対象書類名】特許請求の範囲
【補正対象項目名】全文
【補正方法】変更
【補正の内容】
【特許請求の範囲】
【請求項１】
ワイヤレス通信システムにおけるマルチユーザ多入力多出力（ＭＵ−ＭＩＭＯ）データについて送信をスケジューリングする方法であって、
アクセスポイント（ＡＰ）の基本サービスセット（ＢＳＳ）内の複数のステーションを決定することと、
前記複数のステーションの各々のステーションについてバッファされたデータを決定することと、
前記複数のステーションを複数のグループにグループ化することと、ここで、グループのステーションは類似の特性を有する、
前記複数のグループの前記ステーションの前記特性に基づいて、送信に関して前記複数のグループを優先順位付けすることと、
前記優先順位付けすることに基づいてグループについてサウンディングを実行することと、
第１の条件が満たされるまで、前記サウンディングに基づいて前記グループについてＭＵ−ＭＩＭＯ送信を実行することと、
前記第１の条件が満たされたときに、バッファされたデータを有するより低い優先順位のグループが存在するか否かを判定することと、
前記バッファされたデータを有するより低い優先順位のグループについて、前記サウンディングおよび前記ＭＵ−ＭＩＭＯ送信を実行することを繰り返すことと、
を備える方法。
【請求項２】
前記第１の条件は、前記ＭＵ−ＭＩＭＯ送信についての最大送信時間が経過したこと、および前記グループのためのバッファがフラッシュされること、のうちの少なくとも１つを含む、請求項１に記載の方法。
【請求項３】
前記ステーションを複数のグループにグループ化することは、バッファされたデータの類似の量に基づいて前記ステーションをグループ化することを含む、請求項１に記載の方法。
【請求項４】
前記ステーションを複数のグループにグループ化することは、バッファされたデータの類似の種類に基づいて前記ステーションをグループ化することを含む、請求項１に記載の方法。
【請求項５】
前記ステーションを複数のグループにグループ化することは、チャネル状態情報の類似のフレッシュさに基づいて前記ステーションをグループ化することを含む、請求項１に記載の方法。
【請求項６】
ワイヤレス通信システムにおけるマルチユーザ多入力多出力（ＭＵ−ＭＩＭＯ）データについて送信をスケジューリングする方法であって、
アクセスポイント（ＡＰ）の基本サービスセット（ＢＳＳ）内の複数のステーションを決定することと、
前記複数のステーションの各々のステーションについてバッファされたデータを決定することと、
前記複数のステーションを複数のグループにグループ化することと、ここで、グループのステーションは類似の特性を有する、
前記ステーションの前記特性および前記ステーションについての送信履歴に基づいて、送信に関して前記複数のグループを順序付けすることと、
グループ内のステーションに送信時間を割り当てることと、
前記順序に基づいて前記グループについてサウンディングを実行することと、
第１の条件が満たされるまで、前記サウンディングに基づいて前記グループについてＭＵ−ＭＩＭＯ送信を実行することと、
前記第１の条件が満たされたときに、第２の条件が満たされるか否かを判定することと、
前記第２の条件が満たされるまで、前記サウンディングを前記実行することおよび前記ＭＵ−ＭＩＭＯ送信を前記実行することを繰り返すことと、
を備える方法。
【請求項７】
前記第１の条件は、前記ＭＵ−ＭＩＭＯ送信について割り当てられた送信時間が経過したこと、および前記グループのためのバッファがフラッシュされること、のうちの少なくとも１つを含む、請求項６に記載の方法。
【請求項８】
前記第２の条件は、前記ＡＰによって新たなデータがバッファされたこと、およびバッファされたすべてのデータが送信されたこと、のうちの少なくとも１つを含む、請求項６に記載の方法。
【請求項９】
前記ステーションを複数のグループにグループ化することは、バッファされたデータの類似の量に基づいて前記ステーションをグループ化することを含む、請求項６に記載の方法。
【請求項１０】
前記ステーションを複数のグループにグループ化することは、バッファされたデータの類似の種類に基づいて前記ステーションをグループ化することを含む、請求項６に記載の方法。
【請求項１１】
前記ステーションを複数のグループにグループ化することは、チャネル状態情報の類似のフレッシュさに基づいて前記ステーションをグループ化することを含む、請求項６に記載の方法。
【請求項１２】
前記順序付けすることは、送信履歴に基づいて前記複数のグループを再度順序付けすることを含む、請求項６に記載の方法。
【請求項１３】
前記割り当てることは、送信履歴に基づいて各々のグループのステーションを再度割り当てることを含む、請求項６に記載の方法。
【請求項１４】
プロセッサブロックと、
通信ブロックと、
を備える電子デバイスであって、前記通信ブロックは、
アクセスポイント（ＡＰ）の基本サービスセット（ＢＳＳ）内の複数のステーションを決定することと、
前記複数のステーションの各々のステーションについてバッファされたデータを決定することと、
前記ステーションを複数のグループにグループ化することと、ここで、グループのステーションは類似の特性を有する、
前記複数のグループの前記ステーションの前記特性に基づいて、送信に関して前記複数のグループを優先順位付けすることと、
前記優先順位付けすることに基づいてグループについてサウンディングを実行することと、
第１の条件が満たされるまで、前記サウンディングに基づいて前記グループについてマルチユーザ多入力多出力（ＭＵ−ＭＩＭＯ）送信を実行することと、
前記第１の条件が満たされたときに、バッファされたデータを有するより低い優先順位のグループが存在するか否かを判定することと、
前記バッファされたデータを有するより低い優先順位のグループについて、前記サウンディングおよび前記ＭＵ−ＭＩＭＯ送信を実行することを繰り返すことと、
を実行するように構成された動的スケジューリングブロックを含む、電子デバイス。
【請求項１５】
前記第１の条件は、前記ＭＵ−ＭＩＭＯ送信についての最大送信時間が経過したこと、および前記グループのためのバッファがフラッシュされること、のうちの少なくとも１つを含む、請求項１４に記載の電子デバイス。
【請求項１６】
前記ステーションを複数のグループにグループ化することは、バッファされたデータの類似の量に基づいて前記ステーションをグループ化することを含む、請求項１４に記載の電子デバイス。
【請求項１７】
前記ステーションを複数のグループにグループ化することは、バッファされたデータの類似の種類に基づいて前記ステーションをグループ化することを含む、請求項１４に記載の電子デバイス。
【請求項１８】
前記ステーションを複数のグループにグループ化することは、チャネル状態情報の類似のフレッシュさに基づいて前記ステーションをグループ化することを含む、請求項１４に記載の電子デバイス。
【請求項１９】
プロセッサブロックと、
通信ブロックと、
を備える電子デバイスであって、前記通信ブロックは、
アクセスポイント（ＡＰ）の基本サービスセット（ＢＳＳ）内の複数のステーションを決定することと、
前記複数のステーションの各々のステーションについてバッファされたデータを決定することと、
前記複数のステーション内のステーションを複数のグループにグループ化することと、ここで、グループのステーションは類似の特性を有する、
前記ステーションの前記特性および前記ステーションについての送信履歴に基づいて、送信に関して前記複数のグループを順序付けすることと、
グループ内のステーションに送信時間を割り当てることと、
前記順序に基づいて前記グループについてサウンディングを実行することと、
第１の条件が満たされるまで、前記サウンディングに基づいて前記グループについてマルチユーザ多入力多出力（ＭＵ−ＭＩＭＯ）送信を実行することと、
第１の条件が満たされたときに、第２の条件が満たされるか否かを判定することと、
前記第２の条件が満たされるまで、前記サウンディングを前記実行することおよび前記ＭＵ−ＭＩＭＯ送信を前記実行することを繰り返すことと、
を実行するための動的スケジューリングブロックを含む、電子デバイス。
【請求項２０】
前記第１の条件は、前記ＭＵ−ＭＩＭＯ送信についての最大送信時間が経過したこと、および前記グループのためのバッファがフラッシュされること、のうちの少なくとも１つを含む、請求項１９に記載の電子デバイス。
【請求項２１】
前記第２の条件は、前記ＡＰによって新たなデータがバッファされたこと、およびバッファされたすべてのデータが送信されたこと、のうちの少なくとも１つを含む、請求項１９に記載の電子デバイス。
【請求項２２】
前記ステーションを複数のグループにグループ化することは、バッファされたデータの類似の量に基づいて前記ステーションをグループ化することを含む、請求項１９に記載の電子デバイス。
【請求項２３】
前記ステーションを複数のグループにグループ化することは、バッファされたデータの類似の種類に基づいて前記ステーションをグループ化することを含む、請求項１９に記載の電子デバイス。
【請求項２４】
前記ステーションを複数のグループにグループ化することは、チャネル状態情報の類似のフレッシュさに基づいて前記ステーションをグループ化することを含む、請求項１９に記載の電子デバイス。
【請求項２５】
前記順序付けすることは、送信履歴に基づいて前記複数のグループを再度順序付けすることを含む、請求項１９に記載の電子デバイス。
【請求項２６】
前記割り当てることは、送信履歴に基づいて各々のグループのステーションを再度割り当てることを含む、請求項１９に記載の電子デバイス。
【請求項２７】
サウンディングの動的なスケジューリングを実行するためのコンピュータ実行可能な命令を記憶している非一時的なコンピュータ可読媒体であって、
前記命令は、プロセッサによって実行されたときに、
アクセスポイント（ＡＰ）の基本サービスセット（ＢＳＳ）内の複数のステーションを決定することと、
前記複数のステーションの各々のステーションについてバッファされたデータを決定することと、
前記ステーションを複数のグループにグループ化することと、ここで、グループのステーションは類似の特性を有する、
前記複数のグループの前記ステーションの前記特性に基づいて、送信に関して前記複数のグループを優先順位付けすることと、
前記優先順位付けすることに基づいてグループについてサウンディングを実行することと、
第１の条件が満たされるまで、前記サウンディングに基づいて前記グループについてマルチユーザ多入力多出力（ＭＵ−ＭＩＭＯ）送信を実行することと、
第１の条件が満たされたときに、バッファされたデータを有するより低い優先順位のグループが存在するか否かを判定することと、
前記バッファされたデータを有するより低い優先順位のグループについて、前記サウンディングおよび前記ＭＵ−ＭＩＭＯ送信を実行することを繰り返すことと、
を備えるプロセスを前記プロセッサに実行させる、コンピュータ可読媒体。
【請求項２８】
前記第１の条件は、前記ＭＵ−ＭＩＭＯ送信についての最大送信時間が経過したこと、および前記グループのためのバッファがフラッシュされること、のうちの少なくとも１つである、請求項２７に記載のコンピュータ可読媒体。
【請求項２９】
前記ステーションを複数のグループにグループ化することは、バッファされたデータの類似の量に基づいて前記ステーションをグループ化することを含む、請求項２７に記載のコンピュータ可読媒体。
【請求項３０】
前記ステーションを複数のグループにグループ化することは、バッファされたデータの類似の種類に基づいて前記ステーションをグループ化することを含む、請求項２７に記載のコンピュータ可読媒体。
【請求項３１】
前記ステーションを複数のグループにグループ化することは、チャネル状態情報の類似のフレッシュさに基づいて前記ステーションをグループ化することを含む、請求項２７に記載のコンピュータ可読媒体。
【請求項３２】
サウンディングの動的なスケジューリングを実行するためのコンピュータ実行可能な命令を記憶している非一時的なコンピュータ可読媒体であって、
前記命令は、プロセッサによって実行されたときに、
アクセスポイント（ＡＰ）の基本サービスセット（ＢＳＳ）内の複数のステーションを決定することと、
前記複数のステーションの各々のステーションについてバッファされたデータを決定することと、
前記ステーションを複数のグループにグループ化することと、ここで、グループのステーションは類似の特性を有する、
前記ステーションの前記特性および送信履歴に基づいて、送信に関して前記複数のグループを順序付けすることと、
グループ内のステーションに送信時間を割り当てることと、
前記順序付けすることに基づいて前記グループについてサウンディングを実行することと、
第１の条件が満たされるまで、前記サウンディングに基づいて前記グループについてマルチユーザ多入力多出力（ＭＵ−ＭＩＭＯ）送信を実行することと、
前記第１の条件が満たされたときに、第２の条件が満たされるか否かを判定することと、
前記第２の条件が満たされるまで、前記サウンディングを前記実行することおよび前記ＭＵ−ＭＩＭＯ送信を前記実行することを繰り返すことと、
を備えるプロセスを前記プロセッサに実行させる、コンピュータ可読媒体。
【請求項３３】
前記第１の条件は、前記ＭＵ−ＭＩＭＯ送信についての最大送信時間が経過したこと、および前記グループのためのバッファがフラッシュされること、のうちの少なくとも１つを含む、請求項３２に記載のコンピュータ可読媒体。
【請求項３４】
前記第２の条件は、前記ＡＰによって新たなデータがバッファされたこと、およびバッファされたすべてのデータが送信されたこと、のうちの少なくとも１つを含む、請求項３２に記載のコンピュータ可読媒体。
【請求項３５】
前記ステーションを複数のグループにグループ化することは、バッファされたデータの類似の量に基づいて前記ステーションをグループ化することを含む、請求項３２に記載のコンピュータ可読媒体。
【請求項３６】
前記ステーションを複数のグループにグループ化することは、バッファされたデータの類似の種類に基づいて前記ステーションをグループ化することを含む、請求項３２に記載のコンピュータ可読媒体。
【請求項３７】
前記ステーションを複数のグループにグループ化することは、チャネル状態情報の類似のフレッシュさに基づいて前記ステーションをグループ化することを含む、請求項３２に記載のコンピュータ可読媒体。
【請求項３８】
前記順序付けすることは、送信履歴に基づいて前記複数のグループを再度順序付けすることを含む、請求項３２に記載のコンピュータ可読媒体。
【請求項３９】
前記割り当てることは、送信履歴に基づいて各々のグループのステーションを再度割り当てることを含む、請求項３２に記載のコンピュータ可読媒体。
【請求項４０】
前記グループ内のステーションに送信時間を割り当てることは、異なる時間単位が前記ＭＵ−ＭＩＭＯ送信について前記グループ内の異なるステーションに割り当てられることをもたらす、請求項６に記載の方法。
【請求項４１】
前記グループ内のステーションに送信時間を割り当てることは、異なる時間単位が前記ＭＵ−ＭＩＭＯ送信について前記グループ内の異なるステーションに割り当てられることをもたらす、請求項１９に記載の電子デバイス。
【請求項４２】
前記グループ内のステーションに送信時間を割り当てることは、異なる時間単位が前記ＭＵ−ＭＩＭＯ送信について前記グループ内の異なるステーションに割り当てられることをもたらす、請求項３２に記載のコンピュータ可読媒体。